(57)【要約】【課題】簡単に組み立て可能であるＬＥＤ照明装置を提供する。【解決手段】放熱ベース１と、放熱フィン組２と、絶縁コネクタ３と、透光ランプシェード４と、口金押さえ５と、を備える。そのうち、口金押さえ５は、放熱フィン組２と透光ランプシェード４との間に設けられており、リング状に形成されている。口金押さえ５の一方の面の内側縁部には複数の突起プレート５３が等間隔に形成されており、他方の面の外側縁部には複数の締結切欠き５５が等間隔に形成されている。複数の突起プレート５３を複数の放熱フィン２１の間の隙間に挿入することによって、口金押さえ５が固定機能を発揮し、口金押さえ５が回転することを抑制することができる。他方の面に形成される複数の締結切欠き５５は、ランプシェード４の取付に用いられ、ランプシェード４を容易に結合することができる。【選択図】図１
0003182121.tif 000002
【実用新案登録請求の範囲】
【請求項１】
複数のＬＥＤが設けられている発光基板に設置されている放熱ベースと、
前記放熱ベースの周方向に設けられ所定間隔を有する複数の放熱フィンから形成される放熱フィン組と、
前記放熱フィン組の一端に設けられている絶縁コネクタと、
前記放熱フィン組の他端に設けられており、複数の噛み合わせシートが周方向に形成されている透光性のシェードである透光ランプシェードと、
前記放熱フィン組と前記透光ランプシェードとの間に設けられており、リング状に形成されており、一方の面の内側縁部に等間隔に形成されている複数の突起プレート、および、他方の面の外側縁部に等間隔に形成されている複数の締結切欠きを有する口金押さえと、を備え、
前記口金押さえの前記突起プレートは前記放熱フィンの隙間に対応しており、前記口金押さえの複数の前記締結切欠きは前記透光ランプシェードの複数の噛み合わせシートに対応していることを特徴とするＬＥＤ照明装置。
【請求項２】
前記放熱フィンは、前記透光ランプシェード側に嵌着溝が設けられており、
前記口金押さえは、前記一方の面の外側縁部にうちかぎ部が周方向に形成されており、
前記うちかぎ部は前記放熱フィンの前記嵌着溝に嵌合されていることを特徴とする請求項１記載のＬＥＤ照明装置。
【請求項３】
前記口金押さえは金属製リング状のフレームであることを特徴とする請求項１記載のＬＥＤ照明装置。
【請求項４】
前記口金押さえの前記突起プレートは、複数の前記放熱フィンの隙間に挿入されており、両側が前記放熱フィンに密着していることを特徴とする請求項１記載のＬＥＤ照明装置。
【請求項５】
前記口金押さえの前記突起プレートの内側の面は、前記放熱ベースの外周縁の表面に密着していることを特徴とする請求項１記載のＬＥＤ照明装置。
【考案の詳細な説明】
【技術分野】
【０００１】
本考案は、ＬＥＤ照明装置に関する。
【背景技術】
【０００２】
従来のＬＥＤ照明装置は、放熱ベースと、放熱フィン組と、絶縁コネクタと、ＬＥＤ発光素子と、透光ランプシェードと、を備える。放熱フィン組は、放熱ベースに結合され、下側の端部に絶縁コネクタが設けられている。絶縁コネクタは、ねじ込み接続部を有する中空状のハウジングを形成し、金属製らせん状口金が設けられている。放熱ベースの端面は、ＬＥＤ発光素子、または、複数のＬＥＤが設けられている発光基板を有する。放熱ベースおよび放熱フィン組は、ＬＥＤ発光素子の熱を伝導し、放熱することができる。
【先行技術文献】
【特許文献】
【０００３】
【特許文献１】台湾実用新案登録第Ｍ３８９８２６号明細書
【特許文献２】台湾実用新案登録第Ｍ４１９０３５号明細書
【特許文献３】台湾実用新案登録第Ｍ３５３２９２号明細書
【特許文献４】台湾実用新案登録第Ｍ４００６６０号明細書
【特許文献５】台湾実用新案登録第Ｍ４１３８１７号明細書
【特許文献６】台湾実用新案登録第Ｍ４２２６４６号明細書
【特許文献７】台湾実用新案登録第Ｍ４２１４５８号明細書
【特許文献８】台湾実用新案登録第Ｍ３８１７２４号明細書
【考案の概要】
【考案が解決しようとする課題】
【０００４】
従来のＬＥＤ照明装置の放熱フィン組は、複数の放熱フィンを環設することにより形成される。複数の放熱フィンは、一端部の外側の縁部が鋭い側壁を形成する。そのため、通常は口金押さえを設け、鋭い側壁を覆うことにより、けがなどの事故を防止する。従来の口金押さえは、側壁を覆うだけである。よって、緩むまたは抜けるおそれがある。従来のＬＥＤ照明装置の透光ランプシェードは接着剤により、口金押さえに接着されている。しかし、接着剤は、時間の経過と伴い劣化しランプシェードが抜けるおそれがある。
【０００５】
前述した従来のＬＥＤ電球の透光ランプシェードは、平板状または球状である。また、従来のＬＥＤ照明装置は、例えば、特許文献１、特許文献２、特許文献２、特許文献４、特許文献５、特許文献５、特許文献７、および特許文献８などにも開示されている。
本考案は、簡単に組み立て可能であるＬＥＤ照明装置を提供することにある。
【課題を解決するための手段】
【０００６】
本考案によるＬＥＤ照明装置は、放熱ベースと、放熱フィン組と、絶縁コネクタと、透光ランプシェードと、口金押さえと、を備える。そのうち、口金押さえは、放熱フィン組と透光ランプシェードとの間に設けられており、リング状に形成されている。口金押さえの一方の面の内側縁部には複数の突起プレートが等間隔に形成されており、他方の面の外側縁部には複数の締結切欠きが等間隔に形成されている。複数の突起プレートを複数の放熱フィンの間の隙間に挿入することによって、口金押さえが固定機能を発揮し、口金押さえが回転することを抑制することができる。他方の面に形成される複数の締結切欠きは、ランプシェードの取付に用いられ、ランプシェードを容易に結合することができる。
【０００７】
本考案によるＬＥＤ照明装置は、口金押さえは、複数の突起プレートを有する一方の面の外側縁部において、うちかぎ部が周方向に形成されている。うちかぎ部は、複数の放熱フィンの他端の縁部に形成されている嵌着溝に嵌合し、口金押さえを放熱フィン組に結合させることができる。
【０００８】
本考案によるＬＥＤ照明装置は、放熱ベースと、放熱フィン組と、絶縁コネクタと、透光ランプシェードと、口金押さえと、を備える。口金押さえは放熱フィン組と透光ランプシェードとの間に設けられている。口金押さえの一方の面の内側縁部には、複数の突起プレートが当間隔に設けられ、他方の面の外側縁部には複数の締結切欠きが等間隔に設けられている。複数の突起プレートを放熱フィンの隙間に挿入することで口金押さえの回転を抑制することができ、他方の面に形成される複数の締結切欠きは、ランプシェードと結合することで個固定及び締結の機能を発揮する。よって、従来技術の接着不便を改善することができる。
【図面の簡単な説明】
【０００９】
【図１】本考案の一実施形態によるＬＥＤ照明装置の分解斜視図である。
【図２】本考案の一実施形態によるＬＥＤ照明装置の斜視図である。
【図３】本考案の一実施形態によるＬＥＤ照明装置の断面図である。
【図４】本考案の一実施形態によるＬＥＤ照明装置の口金押さえの斜視図である。
【図５】本考案の一実施形態によるＬＥＤ照明装置の断面図である。
【図６】図４のＡ−Ａ線断面分解図である。
【図７】図４のＡ−Ａ線断面図である。
【考案を実施するための形態】
【００１０】
（一実施形態）
本考案の一実施形態によるＬＥＤ照明装置を図面に基づいて説明する。
図１ないし３を参照する。本考案の一実施形態によるＬＥＤ照明装置は、ＬＥＤ照明装置１０は、放熱ベース１と、放熱フィン組２と、絶縁コネクタ３と、透光ランプシェード４と、口金押さえ５と、を備える。
【００１１】
そのうち、放熱ベース１の端面は複数のＬＥＤ１１が設けられている発光基板１２に配置されている。放熱ベース１はケーブルの取り付けに用いられる孔１３を有する。放熱ベース１は、放熱フィン組２と結合している。放熱フィン組２は、複数の放熱フィン２１が周方向に等間隔に並べることによって形成される。
【００１２】
放熱フィン組２は複数の放熱フィン２１により形成される。各放熱フィン２１は、例えば、他端部の周縁に嵌着溝２１１があらかじめに形成されても良い。
【００１３】
絶縁コネクタ３は、放熱フィン組２の一端に結合され、末端に標準規格の噛み合わせ接続部３１が設けられている。噛み合わせ接続部３１には金属ねじ込みソケット３２が設けられている。
【００１４】
透光ランプシェード４は、半円形の透光シェードであり、透光ランプシェード４の周縁部は複数の噛み合わせシート４１が形成されている。透光ランプシェード４は平板状の透光ランプシェードであっても良い。
【００１５】
口金押さえ５は放熱フィン組２と透光ランプシェード４との間に設けられている。口金押さえ５はリング状に形成されている。図４に示すように、そのうちの一方の面５１はリング穴５２の内側縁部に複数の突起プレート５３が等間隔に形成されている。また、他方の面５４（図１に示す）の外側縁部には、複数の締結切欠き５５が等間隔に形成されている。一方の面５１の外側縁部には、さらにうちかぎ部５６が形成されても良い。
【００１６】
口金押さえ５の複数の突起プレート５３を各放熱フィン２１の隙間ａ（図１に示す）に挿入することによって、口金押さえ５を固定することができ、口金押さえ５の回転を抑制することができる。口金押さえ５の複数の締結切欠き５５と透光ランプシェード４の複数の噛み合わせシート４１とを結合することによって、噛み合わせ結合を簡単に行うことができ、結合の安定性を高めることができる。
【００１７】
口金押さえ５の各突起プレート５３は、各放熱フィン２１の隙間ａに挿入され、両側が各放熱フィン２１と密着し、口金押さえ５の回転を抑制する。
【００１８】
口金押さえ５の一方の面５１の外側縁部に形成されるうちかぎ部５６は、複数の放熱フィン２１の他端部の縁部に形成される嵌着溝２１１と嵌合し、口金押さえ５と放熱フィン組２とを結合させることができる。
【００１９】
本考案の一実施形態は口金押さえ５を改良することにより、口金押さえ５が、一方の面に放熱フィン組２を結合および固定することができ、他方の面に透光ランプシェード４（図６、７に示す）を固定することができる。よって、口金押さえ５が回転することを抑制することができ、透光ランプシェード４との結合の安定性を高めることができる。口金押さえ５にうちかぎ部５６を形成することによって、口金押さえ５と放熱フィン組２との結合安定性をさらに高めることができる。また、口金押さえ５の突起プレート５３の内側面と放熱ベース１の外周縁部（図７に示す）とが密着することで、放熱を促進することができる。
【００２０】
口金押さえ５は、金属プレース加工により形成されている。これに対し、他の実施形態では、口金押さえ５を他の部材に替わることとしても良い。また、プラスチックで口金押さえ５を形成することとしても良い。
本考案は、上述した実施形態に限定されるものではなく、考案の趣旨を逸脱しない範囲で種々の形態で実施可能である。
【符号の説明】
【００２１】
１０・・・ＬＥＤ照明装置、
１・・・放熱ベース、
２・・・放熱フィン組、
３・・・絶縁コネクタ、
４・・・透光ランプシェード、
５・・・口金押さえ、
１１・・・ＬＥＤ発光素子、
１２・・・発光基板、
１３・・・孔、
２１・・・放熱フィン、
２１１・・・嵌着溝、
３１・・・ねじ込み接続部、
３２・・・金属ねじ込みソケット、
４１・・・噛み合わせシート、
５１・・・一方の面、
５２・・・リング穴、
５３・・・突起プレート、
５４・・・他方の面、
５５・・・締結切欠き、
５６・・・うちかぎ部、
Ａ・・・隙間。
【図１】
0003182121.tif 000003
【図２】
0003182121.tif 000004
【図３】
0003182121.tif 000005
【図４】
0003182121.tif 000006
【図５】
0003182121.tif 000007
【図６】
0003182121.tif 000008
【図７】
0003182121.tif 000009